(57)【特許請求の範囲】
【請求項１】
左右に離間して配設された一対の脚体と、前記一対の脚体の上部間に架設された天板とを有するデスク本体を備えたデスク装置であって、
前記デスク本体が、該デスク本体の背面位置で他のデスク本体背面と幕板のいずれか一方を選択的に連結するための連結手段と、前記デスク本体の背面位置よりも前方側の前記天板の下方位置で前記一対の脚体間を連結する連結板とを備えるとともに、前記連結手段が、前記連結板から後方に突設された連結アーム部を備えてなり、
前後に前記デスク本体を連結する際には、各デスク本体の前記連結板から突設された連結アーム部の先端部同士を連結し、
前記デスク本体の背面側に幕板を取り付ける際には、該デスク本体の前記連結板から突設された前記連結アーム部の先端部に前記幕板を連結するように構成されていることを特徴とするデスク装置。
【請求項２】
請求項１記載のデスク装置において、
前記連結アーム部に、デスク装置のオプション部材を取り付けるための取付部が設けられていることを特徴とするデスク装置。
【請求項３】
請求項２記載のデスク装置において、
前後に前記デスク本体を連結した際に互いの前記連結板同士の間に形成される空間、あるいは前記デスク本体の背面側に幕板を取り付けた際に前記連結板と前記幕板の間に形成される空間が配線挿通空間とされ、
前記オプション部材が前記配線挿通空間の上部を閉塞するカバー部材であることを特徴とするデスク装置。
【発明の詳細な説明】
【技術分野】
【０００１】
本発明は、例えばオフィス等の執務空間で使用されるデスク装置に関する。
【背景技術】
【０００２】
オフィス等の執務空間で使用されるデスク装置は、一般に、左右に離間して床面上に配設された一対の脚体と、脚体の上部間に架設された天板と、一対の脚体の背面側に架設された幕板とを有するデスク本体を備えて構成されている。
【０００３】
一方、オフィス等の執務空間においては、執務空間を有効に活用でき、また、例えば使用者にかかる組織変更や異動に伴ってレイアウト変更が必要になった際に柔軟に対応できるため、デスク本体を前後左右に連結し、一つの島型のデスク装置（デスクシステム）を構成して使用することが多い。
【０００４】
しかしながら、従来、上記のようにデスク本体を連結して島型のデスク装置として使用する際に、単体でもデスクとして使用可能なデスク本体を前後や左右に連結して島型のデスク装置を形成することが多い。このため、脚体や幕板などの構成部材が二重に存在する部分ができ、デスク装置としてのコストが高くなるとともに、強度面でも過剰設計となって、無駄が多く発生するという問題があった。
【０００５】
これに対し、特許文献１には、中間脚と、側部脚と、隣接する中間脚同士又は中間脚と側部脚との間を連結する幕板（連結部材、背板）と、隣接する中間脚の水平部間又は中間脚と側部脚との水平部間にまたがって着脱可能に載置される天板とからなるデスク本体を備えるとともに、天板の一部を取り除いて開放空間を形成した際に天板に代替する重量の少なくとも一部を保証するウェイト付加部を開放空間の近傍位置に設けて構成したデスク装置（デスクシステム）が開示されている。そして、このデスク装置においては、デスク本体を連結した際に二重に存在することになる構成部材を一つに集約しているため、コストと強度の無駄を排除することができうる。
【先行技術文献】
【特許文献】
【０００６】
【特許文献１】特開２０１０−４９３７号公報
【発明の概要】
【発明が解決しようとする課題】
【０００７】
しかしながら、上記の特許文献１に開示されたデスク装置においては、左右の脚体の間隔を広くすると、安定性の低下が生じてしまうため、構成できるワイド寸法（幅寸法）に制限が必要になるという問題があった。このため、デスク本体を連結した際に二重に存在することになる構成部材をなくし、コストと強度の無駄を排除しつつ、安定性を確保できるようにすることが強く望まれていた。
【０００８】
本発明は、上記事情に鑑み、前後にデスク本体を連結した使用態様と、連結しない使用態様でのコストと強度の無駄を排除するとともに、強固且つ安定的に構成することを可能にしたデスク装置を提供することを目的とする。
【課題を解決するための手段】
【０００９】
本発明のデスク装置は、左右に離間して配設された一対の脚体と、前記一対の脚体の上部間に架設された天板とを有するデスク本体を備えたデスク装置であって、前記デスク本体が、該デスク本体の背面位置で他のデスク本体背面と幕板のいずれか一方を選択的に連結するための連結手段と、前記デスク本体の背面位置よりも前方側の前記天板の下方位置で前記一対の脚体間を連結する連結板とを備えるとともに、前記連結手段が、前記連結板から後方に突設された連結アーム部を備えてなり、前後に前記デスク本体を連結する際には、各デスク本体の前記連結板から突設された連結アーム部の先端部同士を連結し、前記デスク本体の背面側に幕板を取り付ける際には、該デスク本体の前記連結板から突設された前記連結アーム部の先端部に前記幕板を連結するように構成されていることを特徴とする。
【００１０】
この発明においては、デスク本体が、背面より前方側で天板の下方位置に連結板を設け、背面に幕板を設けずに構成されている。このため、デスク本体を前後に連結して使用する際には、前後のデスク本体の互いの連結アーム部の先端部同士を連結して、前後のデスク本体を一体に連結することができる。また、デスク本体を前後に連結せず、デスク本体の背面に幕板を取り付けて使用する際には、デスク本体の連結板から突設された連結アーム部の先端部に幕板を連結して取り付けることができる。
【００１１】
そして、このように、他のデスク本体背面と幕板のいずれか一方を選択的に連結することによって、前後のデスク本体の連結板同士の間、あるいは連結板と幕板の間に、例えば配線を挿通するため等に使用可能な空間が形成されるため、従来のように別途配線ダクトを設ける必要がなく、デスク装置を最小限の部材で構成することが可能になる。
【００１２】
また、前後のデスク本体同士やデスク本体と幕板を、連結板から後方に突設された連結アーム部を介して連結するようにしたことで、連結部分を一対の脚体の間、すなわち、デスク本体の左右方向中間部分に設けることが可能になる。これにより、左右の脚体の間隔を広くしても、連結アーム部（連結部分）を左右方向中間部分に設けることで強度を確保でき、構成できるワイド寸法の制限をなくすことができる。
【００１３】
また、本発明のデスク装置においては、前記連結アーム部に、デスク装置のオプション部材を取り付けるための取付部が設けられていることが望ましい。
【００１４】
この発明においては、連結アーム部の取付部にオプション部材を取り付けることで、オプション部材を、前後のデスク本体や、デスク本体背面と幕板の連結部分で支持して配設することができ、オプション部材が重量物である場合であっても強固且つ安定的に支持することが可能になる。また、このような連結アーム部に取付部が設けられていることで、オプション部材の取付けが容易になり、デスク装置としての使い勝手を向上させることが可能になる。
【００１５】
さらに、本発明のデスク装置においては、前後に前記デスク本体を連結した際に互いの前記連結板同士の間に形成される空間、あるいは前記デスク本体の背面側に幕板を取り付けた際に前記連結板と前記幕板の間に形成される空間が配線挿通空間とされ、前記オプション部材が前記配線挿通空間の上部を閉塞するカバー部材であることがより望ましい。
【００１６】
この発明においては、連結手段の連結アーム部を用い、デスク本体の背面位置で、他のデスク本体背面と幕板のいずれか一方を選択的に連結することにより、前後のデスク本体の連結板同士の間、あるいは連結板と幕板の間に、配線を挿通するための配線挿通空間を形成できる。このため、従来のように別途配線ダクトを設ける必要がなく、デスク装置を最小限の部材で構成することが可能になる。これにより、デスク本体を前後に連結した使用態様と、単体で使用する使用態様とでのコストと強度の無駄を排除することが可能になるとともに、デスク本体を前後に連結した使用態様では、前後のデスク本体で供用可能な配線挿通空間が形成されるため、什器としての利便性を高めることが可能になる。
【００１７】
また、連結アーム部の取付部に取り付けるオプション部材が、配線挿通空間の上部を閉塞するカバー部材であることによって、配線挿通空間に配置した配線やハブ、テーブルタップ等を外部に露呈させることなく、良好に収めることが可能になる。
【発明の効果】
【００１８】
本発明のデスク装置においては、デスク本体を前後に連結して使用する際に、前後のデスク本体の互いの連結アーム部の先端部同士を連結して、前後のデスク本体を一体に連結することができる。また、デスク本体を前後に連結せず、デスク本体の背面に幕板を取り付けて使用する際には、デスク本体の連結板から突設された連結アーム部の先端部に幕板を連結して取り付けることができる。
【００１９】
これにより、前後にデスク本体を連結した使用態様と、連結しない使用態様でのコストと強度の無駄を排除するとともに、強固且つ安定的にデスク装置を構成することが可能になる。
【図面の簡単な説明】
【００２０】
【図１】本発明の一実施形態に係るデスク装置を示す斜視図であり、前後方向にデスク本体を並設して構成したデスク装置を示す図である。
【図２】図１のＸ１−Ｘ１線矢視図である。
【図３】図２のＸ１−Ｘ１線矢視図である。
【図４】図２のＸ２−Ｘ２線矢視図である。
【図５】図３のＳ部を拡大した図である。
【図６】オプション部材を取り付けた状態を示す図である。
【図７】オプション部材を取り付けた状態を示す図である。
【図８】配線挿入空間に挿入する配線受け部材を示す図である。
【図９】本発明の一実施形態に係るデスク装置を示す斜視図であり、前後方向にデスク本体を並設せずに構成したデスク装置を示す図である。
【図１０】図９のＸ１−Ｘ１線矢視図である。
【図１１】中間部での連結板と幕板の連結状態を示す図である。
【図１２】図１０のＸ１−Ｘ１線矢視図である。
【図１３】図１０のＸ２−Ｘ２線矢視図である。
【図１４】図１２のＳ部を拡大した図である。
【図１５】配線挿入空間に挿入する配線受け部材を示す図である。
【発明を実施するための形態】
【００２１】
以下、図１から図１５を参照し、本発明の一実施形態に係るデスク装置について説明する。ここで、本実施形態は、例えばオフィスやトレーダールーム等の執務空間で使用されるデスク装置（デスクシステム）に関するものである。
【００２２】
本実施形態のデスク装置Ａ、Ｂは、図１に示すように、複数のデスク本体１を備えて構成されている。また、このデスク装置Ａ、Ｂは、図１に示すように、前後方向Ｔ１にデスク本体１を並設し、背面位置で連結して構成したり、図９に示すように、前後方向Ｔ１にデスク本体１を並設せず、デスク本体１の背面位置に幕板２を取り付けて構成したり、図１及び図９に示すように、デスク本体１を左右方向Ｔ２に並べ、左右方向Ｔ２に隣り合うデスク本体１同士を連結するなどして、一つの島型のデスク装置Ａ、Ｂとして使用される。
【００２３】
また、デスク本体１は、図１から図４に示すように、左右Ｔ２に離間して配設された一対の脚体（３と４、３と３）と、一対の脚体３、４の上部間に架設された天板５と、デスク本体１の背面位置Ｈよりも前方側の天板５の下方位置に設けられて、一対の脚体３、４間を連結する連結板６とを備えて構成されている。また、本実施形態のデスク装置Ａ（Ｂ）は、左右方向Ｔ２に隣り合う一方のデスク本体１と他方のデスク本体１が互いに連結する部分で一つの脚体（中間脚３）を供用して、各デスク本体１が構成されている。
【００２４】
また、本実施形態では、左右方向Ｔ２に隣り合う一方のデスク本体１と他方のデスク本体１の互いに連結する部分に配設される中間脚３には、支柱型の脚体が使用されている。一方、デスク装置Ａ（Ｂ）の左右方向Ｔ２両側端部側の側部脚４には、化粧パネルを兼ねたパネル型の脚体が使用されている。
【００２５】
支柱型の中間脚３は、例えば角管材などを用いて形成されており、上下方向Ｔ３に軸線方向を配して立設された支柱７と、支柱７の上端部に後端側を接続し、前後方向Ｔ１前方側に延設された天板支持材８とを備えて略Ｌ字状に形成されている。
【００２６】
さらに、本実施形態では、支柱７よりも上下方向Ｔ３の長さが短く形成され、支柱７と互いの下端部の位置を合わせつつ軸線方向を上下方向Ｔ３に配し、支柱７の後方を向く側面７ａに一体に接続して配設され、支柱７の後方を向く側面から後方側に突設された突設材９を備えて中間脚３が形成されている。そして、本実施形態の支柱型の中間脚３は、支柱７に取り付けた突設材９の後方を向く側面（後端面９ａ）の位置がデスク本体１の背面位置Ｈとなる。また、中間脚３は、突設材９を備えることにより、背面位置Ｈから前方側に向けて凹み、支柱７の左右方向Ｔ２の両側面位置で開口する挿通部（挿通孔）１０を支柱７の上端部側に備えて形成されている。
【００２７】
なお、この挿通部１０は、例えば支柱７の左右方向Ｔ２を向く一側面から他側面に貫通する貫通孔として形成されていてもよく、脚体３の左右方向Ｔ２を向く両側面位置で開口して連通形成されていれば、特にその構成を限定する必要はない。
【００２８】
また、本実施形態の中間脚３は、図２に示すように、支柱７の下端部と突設材９の下端部にそれぞれネジ孔１１、１２が設けられ、このネジ孔１１、１２に螺合したアジャスター１３によって高さ調整可能に構成されている。また、支柱７の下端部に形成したネジ孔１１は、前後方向Ｔ１にデスク本体１を連結してデスク装置Ａを構成する際にアジャスター１３を取り付ける前後連結時用のネジ孔とされ、突設材９の下端部に形成したネジ孔１２は、図９に示すように、デスク本体１を前後方向Ｔ１に連結せず、幕板２を背面位置Ｈに取り付けてデスク装置Ｂを構成する際にアジャスター１３を取り付ける単体使用時用のネジ孔とされている。
【００２９】
さらに、中間脚３には、支柱７の側面の上端部側に、連結板６の端部を連結するための連結板接続用ネジ孔（不図示）が設けられている。また、天板支持材８には、天板５の下面に形成したネジ孔に固定ネジを螺合して天板５と天板支持材８を連結する際に、固定ネジを挿通するためのネジ挿通孔（不図示）が設けられている。
【００３０】
一方、パネル型の側部脚４は、図１、図３及び図４に示すように、略平板状に形成され、パネル面を左右方向Ｔ２に向け、前後方向Ｔ１に沿って配設されている。また、側部脚４は、前端部側と後端部側の下端部にそれぞれ、ネジ孔が設けられ、これらネジ孔に螺合したアジャスター１４、１５によって高さ調整可能に構成されている。
【００３１】
さらに、側部脚４には、後端部側で且つ上端部側に連結板６の端部を連結するためのネジ孔（不図示）が設けられている。また、図１に示すように、上端部の前端部側と後端部側にそれぞれ、天板５の下面に形成したネジ孔に固定ネジを螺合して天板５と側部脚４を連結する際に固定ネジを挿通するためのネジ挿通孔１６が設けられている。
【００３２】
そして、本実施形態のデスク装置Ａ（Ｂ）では、図１から図４に示すように、パネル型の側部脚４と支柱型の中間脚３、中間脚３と中間脚３の一対の脚体が、互いの後端部位置を前後方向Ｔ１の同位置に配した状態で、左右Ｔ２に離間して配設される。また、左右Ｔ２に隣り合う一対の脚体３、４の上端部に左右方向Ｔ２両側端部側をそれぞれ支持させて天板５が配設される。
【００３３】
さらに、一対の脚体３、４にそれぞれ連結板６の端部を連結することによって、デスク本体１の背面位置Ｈ（各脚体３、４の後端部位置）よりも前方側で、天板５よりも下方位置に、一対の脚体３、４間を連結する連結板６が配設される。これにより、本実施形態のデスク本体１は、連結板６の後方を向く後面とデスク本体１の背面位置Ｈとの前後方向Ｔ１の間に、後方と上方と下方に開放した空間が形成され、本実施形態では、この空間が配線挿通空間２０となる。
【００３４】
また、本実施形態の連結板６には、連結板６の後面に一端を接続し、前後方向Ｔ１後方側に突設された連結アーム部２１、２２、２３、２４、２５が連結手段として具備されている。さらに、連結アーム部２１〜２５が複数設けられ、本実施形態では、連結板６の左右方向Ｔ２中央部と、中央部と一側端部の中間部、中央部と他側端部の中間部、一側端部と、他側端部の計５箇所に連結アーム部２１〜２５が設けられている。また、図５に示すように、この連結アーム部２１〜２５は、連結板６の後面からデスク本体１の背面位置Ｈまで突設され、その先端に例えば左右方向Ｔ２や上下方向Ｔ３に突出した連結片（連結手段）２７が設けられている。また、この連結片２６には固定孔（連結手段）２７が形成されている。
【００３５】
さらに、本実施形態において、図４及び図５に示すように、前記中間部に設けられた２つの連結アーム部２２、２３は、その上面を連結板６の上端部よりも下方に配して設けられているのに対し、中央部に配された連結アーム部２１（や側端部に配された連結アーム部２４、２５）は、その一部の上面を連結板６の上端部と上下方向Ｔ３の略同等の位置に配して形成されている。そして、この中央部の連結アーム部２１の連結板６の上端部と上面の位置を略同等にした部分が、オプション部材３０を取り付けるための取付部２１ａとされている。
【００３６】
本実施形態では、図１、図５から図７に示すように、例えばこの取付部２１ａに上面から下面に貫通するスリット状の取付孔２１ｂが複数形成され、オプション部材３０の下面に突設された突出片を取付孔２１ｂに挿入することで、また、挿入した突出片をネジなどで固着することで、オプション部材３０を取付部２１ａに取り付けることができる。ここで、オプション部材３０としては、例えば、図１に示す配線挿通空間２０を閉塞するためのカバー部材３１や、図６、図７に示すようなモニタービーム３２、シェルフ（棚）３３、キャビネット３４を支持する支柱３５などが挙げられる。
【００３７】
そして、上記構成からなる本実施形態のデスク装置Ａ、Ｂにおいて、まず、図１から図５に示すように、デスク本体１を前後に並設して使用する際には、前後に隣り合う一方のデスク本体１と他方のデスク本体１を、互いの背面を対向させて所定位置に配置する。このように所定位置に配置すると、一方のデスク本体１と他方のデスク本体１の支持型の中間脚３が前後方向Ｔ１に並設されるとともに互いの後端部（突設材９の後方を向く側面）同士が突き合わされる。また、パネル型の側部脚４も前後方向Ｔ１に並設されるとともに互いの後端部同士が付き合わされる。
【００３８】
さらに、このように一方のデスク本体１と他方のデスク本体１を前後の所定位置に配置すると、一方のデスク本体１の連結板６に設けられた５つの連結アーム部２１〜２５と、他方のデスク本体１の連結板６に設けられた５つの連結アーム部２１〜２５とが、前後一対で対向配置されるとともに、前後一対の一方のデスク本体１の連結アーム部２１〜２５と他方のデスク本体１の連結アーム部２１〜２５の先端部同士が当接する。また、これとともに、前後の連結アーム部２１〜２５の連結片２６同士が対向して互いの固定孔２７同士が連通する。そして、本実施形態では、この連通した固定孔２７にクリップ３６などの固定部材（連結手段）を嵌めこみ、このクリップ３６を介して連結片２６同士ひいては連結アーム部２１〜２５同士を連結する。これにより、前後に並設したデスク本体１同士が連結される。
【００３９】
また、このように前後のデスク本体１を連結して配設すると、一方のデスク本体１の連結板６と他方のデスク本体１の連結板６の前後方向Ｔ１の間に、デスク本体１の左右方向Ｔ２に連続して延び、上下方向Ｔ３に開放された配線挿通空間２０が形成される。そして、本実施形態では、図２及び図８に示すように、この配線挿通空間３０内に、板状に形成された配線受け部材３７を挿入するとともに、板面を上下方向Ｔ３に向けつつ両側端部側を一方のデスク本体１の連結板６と他方のデスク本体１の連結板６にそれぞれ係止させて設置する。
【００４０】
これにより、本実施形態のデスク装置Ａにおいては、前後のデスク本体１の連結板６同士の間に形成される空間を配線挿通空間２０とし、この配線挿通空間２０に挿入設置した配線受け部材３７上に配線やハブ、テーブルタップ等を載置することで、前後のデスク本体１で配線挿通空間２０を供用して配線やハブ、テーブルタップ等を配設することができる。
【００４１】
さらに、本実施形態のデスク装置Ａにおいては、図１及び図２に示すように、一方のデスク本体１の支柱型の中間脚３と他方のデスク本体１の支柱型の中間脚３の前後一対の脚体の挿通部１０を介して、左右方向Ｔ２に並設したデスク本体１の配線挿通空間２０同士が連通する。これにより、左右方向Ｔ２に隣り合う一方のデスク本体１の配線挿通空間２０から他方のデスク本体１の配線挿通空間２０に配線を引き回すことが可能になる。
【００４２】
さらに、デスク本体１を前後に並設して構成した本実施形態のデスク装置Ａにおいては、各デスク本体１の一対の脚体３、４の間の中間部分に配設された複数の連結アーム部２１〜２５同士を連結し、前後のデスク本体１が連結されている。すなわち、連結部分を一対の脚体３、４の間の中間部分に配して前後のデスク本体１が連結されている。このため、強固且つ安定的にデスク装置Ａが構成されることになり、左右の脚体３、４の間隔を広くしても、連結アーム部（連結部分）２１〜２５によって強度が確保され、構成できるワイド寸法の制限が不要となる。
【００４３】
さらに、連結アーム部２１にオプション部材３０を取り付けるための取付部２１ａが設けられているため、オプション部材３０の突出片を取付部２１ａの取付孔２１ｂに挿入して係止させるなどして、容易にオプション部材３０の取付けが行なえる。また、これとともに、例えばオプション部材３０がモニタービーム３２、シェルフ３３、キャビネット３４を支持する支柱３５などの重量物である場合であっても、前後のデスク本体１の連結部分である連結アーム部２１にオプション部材３０が支持されるため、オプション部材３０は強固且つ安定的に支持されることになる。
【００４４】
また、オプション部材３０がカバー部材３１である場合には、カバー部材３１を連結アーム部２１の取付部２１ａに取り付けて、配線やハブ、テーブルタップ等が外部に露呈しないように、容易に配線挿通空間２０の上部を閉塞することができる。
【００４５】
一方、図９から図１４に示すように、デスク本体１を単体で使用する際には、すなわち、デスク本体１を前後に並設せず、左右方向Ｔ２に連結して使用する場合、あるいはデスク本体１を単独で使用する場合には、デスク本体１の連結板６に設けられた５つの連結アーム部２１〜２５の先端部にクリップ３６で連結するなどして、デスク本体１の背面位置Ｈに幕板２を取り付ける。
【００４６】
そして、図９から図１１に示すように、このようにデスク本体１の背面位置Ｈに幕板２を連結して配設すると、デスク本体１の連結板６の後面と幕板２の前後方向Ｔ１の間に、デスク本体１の左右方向Ｔ２に連続して延び、上下方向Ｔ３に開放された配線挿通空間２０が形成される。そして、本実施形態では、図１５に示すように、この配線挿通空間２０内に、板状に形成された配線受け部材３７を挿入するとともに、板面を上下方向Ｔ３に向けつつ両側端部側をデスク本体１の連結板６と幕板２にそれぞれ係止させて設置する。
【００４７】
これにより、本実施形態のデスク装置Ｂにおいては、前後のデスク本体１の連結板６と幕板２の間に形成される空間を配線挿通空間２０とし、この配線挿通空間２０に挿入設置した配線受け部材３７上に配線やハブ、テーブルタップ等を載置することで、配線やハブ、テーブルタップ等を配設することができる。
【００４８】
さらに、この場合においても、デスク本体１の支柱型の中間脚３に形成された挿通部１０を介して、左右方向Ｔ２に並設したデスク本体１の配線挿通空間２０同士が連通する。これにより、左右方向Ｔ２に隣り合う一方のデスク本体１の配線挿通空間２０から他方のデスク本体１の配線挿通空間２０に配線を引き回すことが可能になる。
【００４９】
また、デスク本体１の背面位置Ｈに幕板２を取り付けてデスク装置Ｂを構成する場合においても、各デスク本体１の一対の脚体３、４の間の中間部分に配設された複数の連結アーム部２１〜２５と幕板２を連結することで、連結部分が一対の脚体３、４の間の中間部分に配されることになる。このため、強固且つ安定的にデスク装置Ｂが構成されることになり、左右の脚体３、４の間隔を広くしても、連結アーム部（連結部分）２１〜２５によって強度が確保され、構成できるワイド寸法の制限が不要となる。
【００５０】
また、この場合でも、オプション部材３０の突出片を取付部２１ａの取付孔２１ｂに挿入して係止させるなどして、容易にオプション部材３０の取付けが行なえる。また、オプション部材３０が重量物である場合であっても、前後のデスク本体１の連結部分である連結アーム部２１にオプション部材３０が支持されるため、オプション部材３０は強固且つ安定的に支持されることになる。
【００５１】
さらに、オプション部材３０がカバー部材３１である場合には、カバー部材３１を連結アーム部２１の取付部２１ａに取り付けて、配線やハブ、テーブルタップ等が外部に露呈しないように、容易に配線挿通空間２０の上部を閉塞することができる。
【００５２】
また、幕板２を背面位置Ｈに取り付けてデスク装置Ｂを構成する場合には、前後方向Ｔ１にデスク本体１を連結してデスク装置Ａを構成する際に前後連結時用のネジ孔１１に取り付けられていたアジャスター１３を、前後連結時用のネジ孔１１よりも脚体３の後方側に設けられた単体使用時用のネジ孔１２に螺合して付け替える。そして、このようにデスク後端に配設されたネジ孔１２にアジャスター１３を取り付けることによって、デスクを転倒し難い状態で支持することが可能となり、デスク本体１ひいてはデスク装置Ｂをより安定した状態で形成することができる。すなわち、デスク装置Ｂの安定性を高めることができる。
【００５３】
この一方で、幕板２を背面位置Ｈに取り付けてデスク装置Ｂを構成する場合には、デスク本体１を前後に連結して使用する場合と比較し、やはりデスク装置Ｂの安定性が低くなってしまう。このため、図９及び図１０に示すように、デスク本体１を単体で使用する場合には、必要に応じて、中間脚３に補助脚４０を取り付けて安定性を高めるようにしてもよい。
【００５４】
具体的に、補助脚４０は、上下方向Ｔ３に立設される支柱４１と、支柱４１の上端部、下端部にそれぞれ繋がって前後方向Ｔ１に延設された上部横材４２と下部横材４３とを備えてコ字状に形成されている。また、支柱４１の下端部には、ネジ孔が設けられ、このネジ孔にアジャスター４４が螺合して取り付けられている。さらに、下部横材４３には、その先端面から突出して係合突起４５が設けられ、上部横材４２には、中間脚３の天板支持材８に形成したネジ孔に螺合して上部横材４２と天板支持材８を接続するための取付ネジ４６を挿通するためのネジ挿通孔が下面から上面に貫通して設けられている。
【００５５】
そして、図１０に示すように、幕板２を背面位置Ｈに取り付けてデスク本体１を単体で使用する場合には、下部横材４３の係合突起４５を中間脚３の支柱７に形成した係合孔４７に嵌め込むとともに、取付ネジ４６で上部横材４２を中間脚３の天板支持材８に接続し、支柱４１を前方側に配した状態で補助脚４０を中間脚３に一体に取り付ける。これにより、天板５が中間脚３に加えて補助脚４０で支持されることで、特に補助脚４０によって天板５の前方側が支持されることで、デスク本体１ひいてはデスク装置Ｂの安定性を確実に高めることができる。
【００５６】
したがって、本実施形態のデスク装置Ａ、Ｂにおいては、デスク本体１が、背面Ｈより前方側で天板５の下方位置に連結板６を設け、背面Ｈに幕板２を設けずに構成されている。このため、デスク本体１を前後に連結して使用する際には、前後のデスク本体１の互いの連結アーム部２１〜２５の先端部同士を連結して、前後のデスク本体１を一体に連結することができる。また、デスク本体１を前後に連結せず、デスク本体１の背面Ｈに幕板２を取り付けて使用する際には、デスク本体１の連結板６から突設された連結アーム部２１〜２５の先端部に幕板２を連結して取り付けることができる。
【００５７】
そして、このようにデスク本体１の背面Ｈに、他のデスク本体１の背面と幕板２のいずれか一方を選択的に連結することによって、前後のデスク本体１の連結板６同士の間、あるいは連結板６と幕板２の間に、例えば配線を挿通するため等に使用可能な空間（配線挿通空間２０）を形成できるため、従来のように別途配線ダクトを設ける必要がなく、デスク装置Ａ、Ｂを最小限の部材で構成することが可能になる。
【００５８】
また、前後のデスク本体１同士やデスク本体１と幕板２を、連結板６から後方に突設された連結アーム部２１〜２５を介して連結するようにしたことで、連結部分を一対の脚体３、４の間、すなわち、デスク本体１の左右方向Ｔ２中間部分に設けることが可能になる。これにより、左右の脚体３、４の間隔を広くしても、連結アーム部（連結部分）２１〜２５を左右方向Ｔ２中間部分に設けることで強度を確保でき、構成できるワイド寸法の制限をなくすことができる。
【００５９】
よって、本実施形態のデスク装置Ａ、Ｂによれば、前後にデスク本体１を連結した使用態様と、連結しない使用態様でのコストと強度の無駄を排除するとともに、強固且つ安定的にデスク装置Ａ、Ｂを構成することが可能になる。
【００６０】
また、本実施形態のデスク装置Ａ、Ｂにおいては、連結アーム部２１の取付部２１ａにオプション部材３０を取り付けることで、オプション部材３０を、前後のデスク本体１や、デスク本体１と幕板２の連結部分で支持して配設することができ、オプション部材３０が重量物である場合であっても強固且つ安定的に支持することが可能になる。また、このような連結アーム部２１に取付部２１ａが設けられていることで、オプション部材３０の取付けが容易になり、デスク装置Ａ、Ｂとしての使い勝手を向上させることが可能になる。
【００６１】
さらに、連結アーム部２１〜２５を用い、デスク本体１の背面位置Ｈで、他のデスク本体１の背面と幕板２のいずれか一方を選択的に連結することにより、前後のデスク本体１の連結板６同士の間、あるいは連結板６と幕板２の間に、配線を挿通するための配線挿通空間２０を形成できる。これにより、デスク本体１を前後に連結した使用態様と、単体で使用する使用態様とでのコストと強度の無駄を排除することが可能になるとともに、デスク本体１を前後に連結した使用態様では、前後のデスク本体で供用可能な配線挿通空間２０が形成されるため、什器としての利便性を高めることが可能になる。
【００６２】
また、連結アーム部２１の取付部２１ａに取り付けるオプション部材３０が、配線挿通空間２０の上部を閉塞するカバー部材３１であることによって、配線挿通空間２０に配置した配線やハブ、テーブルタップ等を外部に露呈させることなく、良好に収めることが可能になる。
【００６３】
また、本実施形態のデスク装置Ａ、Ｂにおいては、デスク本体１の脚体３に、配線挿通空間２０を脚体３の左右方向Ｔ２外側に連通させる挿通部１０が設けられているため、デスク本体１を左右方向Ｔ２に並設して使用する場合に、左右方向Ｔ２に隣り合うデスク本体１の配線挿通空間２０同士を互いの挿通部１０を介して連通させることができる。これにより、左右方向Ｔ２に隣り合う一方のデスク本体１の配線挿通空間２０から他方のデスク本体１の配線挿通空間２０に配線を引き回すことができ、什器としての利便性をさらに高めることが可能になる。
【００６４】
さらに、本実施形態のデスク装置Ａ、Ｂにおいては、例えば、デスク本体１を前後に連結して使用する際には、前後のデスク本体１の連結板６同士に架設したり、デスク本体１の背面Ｈに幕板２を取り付けて使用する際には、幕板２と連結板６に架設するなどして、配線挿通空間２０内に配線受け部材３７を設け、この配線受け部材３７上に載置して配線やハブ、テーブルタップ等を安定した状態で好適に配設することが可能になる。
【００６５】
以上、本発明に係るデスク装置の一実施形態について説明したが、本発明は上記の一実施形態に限定されるものではなく、その趣旨を逸脱しない範囲で適宜変更可能である。
【符号の説明】
【００６６】
１      デスク本体
２      幕板
３      脚体（中間脚）
４      脚体（側部脚）
５      天板
６      連結板
７      支柱
８      天板支持材
９      突設材
９ａ    後端面
１０    挿通部
１１    前後連結時用のネジ孔
１２    単体使用時用のネジ孔
１３    アジャスター
１４    アジャスター
１５    アジャスター
１６    ネジ挿通孔
２０    配線挿通空間
２１〜２５  連結アーム部（連結手段）
２１ａ  取付部
２１ｂ  取付孔
２６    連結片
２７    固定孔
３０    オプション部材
３１    カバー部材
３２    モニタービーム
３３    シェルフ
３４    キャビネット
３５    支柱
３６    クリップ（固定部材）
３７    配線受け部材
４０    補助脚
４１    支柱
４２    上部横材
４３    下部横材
４４    アジャスター
４５    係合突起
４６    取付ネジ
４７    係合孔
Ａ      デスク装置
Ｂ      デスク装置
Ｈ      背面位置
Ｔ１    前後方向
Ｔ２    左右方向
Ｔ３    上下方向
【図１】
0005829486.tif 000002
【図２】
0005829486.tif 000003
【図３】
0005829486.tif 000004
【図４】
0005829486.tif 000005
【図５】
0005829486.tif 000006
【図６】
0005829486.tif 000007
【図７】
0005829486.tif 000008
【図８】
0005829486.tif 000009
【図９】
0005829486.tif 000010
【図１０】
0005829486.tif 000011
【図１１】
0005829486.tif 000012
【図１２】
0005829486.tif 000013
【図１３】
0005829486.tif 000014
【図１４】
0005829486.tif 000015
【図１５】
0005829486.tif 000016